(57)【要約】【課題】使用時における筒状ロッドの長手方向へのずれを抑制でき、使い勝手に優れるヘアセット器具を提供する。【解決手段】挟持部１４と、挟持部１４の両端部から延設された延設部１６ａ、１７ａおよび曲折部１６ｂ、１７ｂを介して延設部に対して対向して延びる係止部１６ｃ、１７ｃよりなるフック部１６、１７とを有し、挟持部１４の幅方向の一側縁部が挟持面１４ａと筒状ロッド１２外表面との間に挟み込まれる髪の毛２０を挟持部１４の両端方向に振り分け可能に、中央部が高く、両端部に向けて低くなる傾１４ｂ斜縁に形成されているヘアセット器具１０において、係止部１６ｃ、１７ｃのうちの一方の係止部１７ｃの延設部１７ａとの対向面が、係止部１７ｃの先端にいく程延設部１７ａの対向面からの離反距離が大きくなる複数段の段差面１９ａ、１９ｂ、１９ｃに形成されていることを特徴とする。【選択図】図１
2020000833.tif 000002
【特許請求の範囲】
【請求項１】
挟持部と、該挟持部の長手方向両端部からそれぞれ延設された延設部、および該延設部からそれぞれ曲折部を介して前記延設部に対して対向して延びる係止部よりなるフック部とを有し、
前記フック部の前記係止部が筒状ロッドの両端側に進入、係止することによって該筒状ロッドが外表面上に着脱自在に設けられて、前記挟持部の挟持面と前記筒状ロッドの外表面との間で髪の毛を挟み込み可能に設けられ、前記挟持部の幅方向の側縁部が、前記挟持面と前記筒状ロッド外表面との間に挟み込まれる髪の毛を前記挟持部の両端方向に振り分け可能に、中央部が高く、両端部に向けて低くなる傾斜縁に形成されていると共に、前記傾斜縁の両端部に突部が形成されているヘアセット器具において、
前記係止部のうちの少なくとも一方の係止部の前記延設部との対向面が、前記係止部の先端側にいく程前記延設部の対向面からの離反距離が大きくなる複数段の段差面に形成されていることを特徴とするヘアセット器具。
【請求項２】
前記筒状ロッドを長手方向の一方向にずらすことによって、前記フック部のうちの一方のフック部の前記係止部が前記筒状ロッドの端部から外れ、前記筒状ロッドを前記挟持部の中央部にずらすことによって、前記両フック部の前記係止部が前記筒状ロッドの端部に係止可能であることを特徴とする請求項１記載のヘアセット器具。
【請求項３】
前記両係止部の前記延設部との対向面が、それぞれ前記段差面に形成されていることを特徴とする請求項１または２記載のヘアセット器具。
【請求項４】
前記一方の係止部が、他方の前記係止部よりも短い長さに形成されていることを特徴とする請求項１〜３いずれか１項記載のヘアセット器具。
【請求項５】
前記挟持部の前記挟持面とは反対側の面に、前記一方の係止部よりも長い前記他方の係止部が前記挟持部のどちら側の端部に位置するかを示す、目視にて視認できる目印が設けられていることを特徴とする請求項４記載のヘアセット器具。
【請求項６】
前記挟持部の挟持面とは反対側の面に、前記筒状ロッドの端部に前記他方の係止部を挿入後、前記筒状ロッドをヘアセット器具のどちら側に移動すれば前記筒状ロッドがヘアセット器具に対して装着状態となるか、前記筒状ロッドの移動方向を示す、目視にて視認できる目印が設けられていることを特徴とする請求項４または５記載のヘアセット器具。
【請求項７】
前記挟持部が、長手方向において、中央部が前記係止部方向に向けて凸になるように湾曲していることを特徴とする請求項１〜６いずれか１項記載のヘアセット器具。
【請求項８】
少なくとも両前記突部間の前記挟持部の前記挟持面に樹脂製の弾性を有する繊維が植毛されていることを特徴とする請求項１〜７記載のヘアセット器具。
【請求項９】
前記繊維が静電植毛により植毛されていることを特徴とする請求項８記載のヘアセット器具。
【発明の詳細な説明】
【技術分野】
【０００１】
本発明は、パーマ（パーマネントウェーブ）やヘアドライアーによるセットなどの際、比較的に短い髪であっても、容易に毛先を逃がして巻くことのできるヘアセット器具に関する。
【背景技術】
【０００２】
発明者は先に、特許文献１（特開２０１７−１８５０３２号公報）に示すようなヘアセット器具を開発した。
このヘアセット器具１０は、図７に示すように、挟持部１４と、挟持部１４の長手方向両端部からそれぞれ延設された延設部１６ａ、１７ａ、および延設部１６ａ、１７ａからそれぞれ曲折部１６ｂ、１７ｂを介して延設部１６ａ、１７ａに対して対向して延びる係止部１６ｃ、１７ｃよりなるフック部１６、１７とを有している。ヘアセット器具１０は、フック部１６、１７の係止部１６ｃ、１７ｃが筒状ロッド１２（図８）の両端部に進入、係止することによって筒状ロッド１２の外表面上に着脱自在に設けられている。また挟持部１４の正面である挟持面１４ａの側方（幅方向）の側縁部１４ｂが、挟持部１４の挟持面１４ａと筒状ロッド１２外表面との間に挟み込まれる髪の毛２０を挟持部１４の両端方向に振り分け可能に、中央部が高く、両端部に向けて低くなる傾斜縁１４ｂに形成されている。また、傾斜縁１４ｂの両端部に突部１５が形成されている。
【０００３】
上記ヘアセット器具１０は次のように用いられる。
すなわち、まず図８に示すように、ヘアセット器具１０を、挟持部１４の挟持面１４ａを手前側に向けて所要量の髪の毛２０の下に当てがい、筒状ロッド１２を、髪の毛２０をヘアセット器具１０で挟むようにしてヘアセット器具１０に装着する。この場合、筒状ロッド１２の一端側に一方の係止部１６ｃを進入させるようにし、次いで、挟持部１４を弾性変形させつつ筒状ロッド１２を他方の係止部１７ｃ方向にずらし、他方の係止部１７ｃを筒状ロッド１２の他端側に進入させるようにする。これにより、筒状ロッド１２は、両係止部１６ｃ、１７ｃに橋渡し状となって、ヘアセット器具１０に装着される（ヘアセット器具１０が筒状ロッド１２に装着される）。
【０００４】
その際、図９に示すように、髪の毛２０の先端側を挟持部１４の両端側に向けて、傾斜縁１４ｂに沿って振り分ける。次いで、図１０に示すように、ヘアセット器具１０と筒状ロッド１２とを、手前側に向けて回転させることによって、髪の毛２０をヘアセット器具１０と筒状ロッド１２上に巻き付ける。そして、ヘアセット器具１０と筒状ロッド１２上に髪の毛２０を巻きつけた状態のまま、輪ゴム等の固定具（図示せず）によりヘアセット器具１０および筒状ロッド１２を髪の毛２０に固定し、パーマネント掛けもしくはドライアー掛けをすることによってヘアセットすることができる。
【０００５】
このヘアセット器具１０によれば、男性の髪の毛のように比較的に短い髪の毛であっても、いわゆる毛先を側方に逃がした状態で髪の毛を巻き込み、パーマ等のヘアセットを行うことができる。“毛先を逃がす”というのは、ロッドに髪の毛を巻き付ける際、毛先だけ残して巻くことをいう。このように、毛先を丸めず、巻き込まずに毛先を逃がしてロッド巻きすることによって、自然な髪の流れを表現することができる。
【０００６】
また、上記ヘアセット器具１０は、筒状ロッド１２が外表面に着脱可能に設けられているので、太さの異なる種々の筒状ロッド１２に対しても対応できるという利点がある。
ところで、筒状ロッド１２には、図１１に示すように、複数種類の筒状ロッド１２が有り、その長さや肉厚に微妙な違いがある。例えば長さにおいては、８５ｍｍ〜９０ｍｍ程度に微妙な違いがある。筒状ロッド１２に、このような５ｍｍ程度の長さの違いがあっても、ヘアセット器具１０側においてその係止部１６ｃ、１７ｃの長さを所要に設定すれば、筒状ロッド１２をヘアセット器具１０に装着することはできる。
【先行技術文献】
【特許文献】
【０００７】
【特許文献１】特開２０１７−１８５０３２号公報
【発明の概要】
【発明が解決しようとする課題】
【０００８】
上記のように、長さにばらつきがある筒状ロッド１２に対しても対応できるように、フック部１６、１７における係止部１６ｃ、１７ｃの長さを十分に余裕のある長さに設定している。
しかしながら、ヘアセット器具１０において、係止部１６ｃ、１７ｃの長さを十分に余裕のある長さのものに設定すると、筒状ロッド１２を装着した際、使用中（髪の毛を巻き付ける際）に筒状ロッド１２が長手方向にずれやすく、髪巻き付け作業がしずらくなるという課題がある。
特に、厚さの薄い筒状ロッド１２をヘアセット器具１０に装着した際には、係止部１６ｃ、１７ｃと筒状ロッド１２の係止度（弾性による当接度）が低くなり、その長手方向へのずれが一層生じやすく、使い勝手が悪くなりやすいという課題が生じた。
【課題を解決するための手段】
【０００９】
そこで、本発明は上記課題を解決すべくなされたものであり、その目的とするところは、使用時における筒状ロッドの長手方向へのずれを抑制でき、使い勝手に優れるヘアセット器具を提供することにある。
【００１０】
本実施の形態に係るヘアセット器具は、挟持部と、該挟持部の長手方向両端部からそれぞれ延設された延設部、および該延設部からそれぞれ曲折部を介して前記延設部に対して対向して延びる係止部よりなるフック部とを有し、前記フック部の前記係止部が筒状ロッドの両端側に進入、係止することによって該筒状ロッドが外表面上に着脱自在に設けられて、前記挟持部の挟持面と前記筒状ロッドの外表面との間で髪の毛を挟み込み可能に設けられ、前記挟持部の幅方向の側縁部が、前記挟持面と前記筒状ロッド外表面との間に挟み込まれる髪の毛を前記挟持部の両端方向に振り分け可能に、中央部が高く、両端部に向けて低くなる傾斜縁に形成されていると共に、前記傾斜縁の両端部に突部が形成されているヘアセット器具において、前記係止部のうちの少なくとも一方の係止部の前記延設部との対向面が、前記係止部の先端側にいく程前記延設部の対向面からの離反距離が大きくなる複数段の段差面に形成されていることを特徴とする。
【００１１】
前記筒状ロッドを長手方向の一方向にずらすことによって、前記フック部のうちの一方のフック部の前記係止部が前記筒状ロッドの端部から外れ、前記筒状ロッドを前記挟持部の中央部にずらすことによって、前記両フック部の前記係止部が前記筒状ロッドの端部に係止可能になっている。
前記両係止部の前記延設部との対向面を、それぞれ前記段差面に形成することができる。
【００１２】
前記一方の係止部を、他方の前記係止部よりも短い長さに形成することができる。
前記挟持部の前記挟持面とは反対側の面に、前記一方の係止部よりも長い前記他方の係止部が前記挟持部のどちら側の端部に位置するかを示す、目視にて視認できる目印を設けると好適である。
また、前記挟持部の挟持面とは反対側の面に、前記筒状ロッドの端部に前記他方の係止部を挿入後、前記筒状ロッドをヘアセット器具のどちら側に移動すれば前記筒状ロッドがヘアセット器具に対して装着状態となるか、前記筒状ロッドの移動方向を示す、目視にて視認できる目印を設けると好適である。
前記挟持部を、長手方向において、中央部が前記係止部方向に向けて凸になるように湾曲して設けるようにするとよい。
少なくとも両前記突部間の前記挟持部の前記挟持面に樹脂製の弾性を有する繊維を、静電植毛等により植毛するようにすると好適である。
【発明の効果】
【００１３】
本実施の形態によれば、フック部の係止部に複数の段差面を設けることによって、厚さや長さにばらつきのある筒状ロッドの場合にあっても、その端部をフック部のＵ字の凹部底面、あるいは段差面間の段差壁に当接させて位置決めすることができ、したがって、髪を巻き付ける作業時、筒状ロッドの長手方向へのずれを防止でき、作業性を向上させることができる。
【図面の簡単な説明】
【００１４】
【図１】ヘアセット器具の平面図である。
【図２】図２（Ａ）はヘアセット器具の正面図である。図２（Ｂ）はヘアセット器具の側面図である。
【図３】ヘアセット器具の斜視図である。
【図４】筒状ロッドの正面図である。
【図５】ヘアセット器具の他の実施の形態を示す平面図である。
【図６】ヘアセット器具の他の実施の形態を示す背面図である。
【図７】従来のヘアセット器具の正面図である。
【図８】従来のヘアセット器具を髪の毛に当て、筒状ロッドの一端にフック部（係止部）を挿入した状態の説明図である。
【図９】筒状ロッドを従来のヘアセット器具に取り付けた状態の説明図である。
【図１０】髪の毛の先端を逃がした状態で、髪の毛を従来のヘアセット器具に巻きつけた状態の説明図である。
【図１１】複数種類の筒状ロッドを示す写真である。
【発明を実施するための形態】
【００１５】
以下、本発明の実施の形態を添付図面に基づいて詳細に説明する。
図１はヘアセット器具１０の平面図であり、図２（Ａ）はその正面図、図２（Ｂ）はその右側面図、図３はその斜視図である。また図４は筒状ロッド（ロッド）１２の正面図である。
ヘアセット器具１０の基本構成は、特許文献１に示すヘアセット器具と同じであり、同一の部材は同一符号をもって示す。
以下、本実施の形態に係るヘアセット器具１０を説明する。
【００１６】
ヘアセット器具１０は、樹脂製であり、細長片状の挟持部１４と、挟持部１４の長手方向両端部に形成されたフック部１６、１７を有する。フック部１６、１７は、挟持部１４の長手方向両端部からそれぞれそのまま片状に延設された延設部１６ａ、１７ａ、および延設部１６ａ、１７ａからそれぞれ曲折部１６ｂ、１７ｂを介して延設部１６ａ、１７ａに対して対向して延びる係止部１６ｃ、１７ｃよりなる。したがって、フック部１６、１７は、平面視、ほぼＵ字状をなす。
【００１７】
挟持部１４は、その正面壁がフック部１６ｃ、１７ｃ方向を向く挟持面１４ａに形成されている。また、挟持部１４は、図１に明確なように、長手方向における中央部が係止部１６ｃ、１７ｃ方向に向けて凸になるように湾曲して設けられている。
図２に明確なように、挟持部１４の、挟持面１４ａの両側方（幅方向）に隣接する側縁部（傾斜縁）１４ｂが、中央部が高く、両端部に向けて低くなる傾斜縁１４ｂに形成されている。すなわち、側縁部１４ｂは、中央部が高い山状に形成されている。また側縁部（傾斜縁）１４ｂの両端部に突部１５が形成されている。
【００１８】
側縁部１４ｂが、中央部が高い山状に形成されていることにより、後記するように、髪の毛を側縁部（傾斜縁）１４ｂの高さの低い両端方向に振り分けることができる。また、側縁部（傾斜縁）１４ｂの両端部に突部１５が形成されていることにより、両側に振り分けられた髪の毛が必要以上に外方に逃げるのを防止できる。
挟持面１４ｂの反対側面（裏面）側には、補強用リブ１４ｃが複数本設けられている。
またフック部１６、１７にも、その外側面に補強用リブ１６ｄ、１７ｄがそれぞれ設けられている。
【００１９】
前記筒状ロッド１２は、図４に示すように、一般的に中央部の径が両端部の径よりも細い、細長の鼓状に形成されている。また、ロッド１２の両端部には、固定用の輪ゴムを掛け止めできる複数の突起１２ａが設けられている。
挟持部１４の特に挟持面１４ａを、上記鼓状の筒状ロッド１２の外表面に沿うように、長手方向および幅方向に湾曲させて形成すると好適である。
また、同様に、突部１５の、挟持面１４ａと同じ側の面を、筒状ロッド１２の外表面に沿うように湾曲させて形成すると好適である。
上記のように、挟持面１４ａおよび突部１５を湾曲させて形成することにより、ヘアセット器具１０と筒状ロッド１２とで髪の毛を良好に挟み込むことができる。
【００２０】
なお挟持面１４ａの長手方向の湾曲度を、鼓状の筒状ロッド１２の外表面の長手方向の湾曲度よりも大きく湾曲させておくのがよい。これにより、ヘアセット器具１０を、その挟持部１４を弾性的に変形させて筒状ロッド１２の外表面に沿わせるようにして筒状ロッド１２に装着することができ、これによって、その係止部１６ｃ、１７ｃが挟持部１４の反力により筒状ロッド１２の内壁に弾性的に当接することとなり、ヘアセット器具１０を筒状ロッド１２にしっかりと良好に装着できる。
【００２１】
ヘアセット器具１０は、フック部１６、１７の係止部１６ｃ、１７ｃが筒状ロッド１２の両端側に進入、係止することによって筒状ロッド１２の外表面上に着脱自在に設けられている。すなわち、筒状ロッド１２に対して長手方向の一方向にずらすことによって、フック部１６、１７のうちの一方のフック部の係止部が筒状ロッド１２の端部から外れ、筒状ロッド１２の中央部にずらすことによって、両フック部１６、１７の係止部１６ｃ、１７ｃが筒状ロッド１２の端部に係止可能となっている。
挟持部１４の挟持面１４ａと反対側となる裏面側の両端部（傾斜縁１４ｂの両端部付近）に、ヘアセット器具１０を筒状ロッド１２に対してずらす際に指を掛けることのできる、指掛け用の突起１８を設けると好適である。
上記ヘアセット器具１０を用いてヘアセットを行うには、従来と同様に図８〜図１０の手順にしたがって行うようにすればよい。
【００２２】
本実施の形態で特徴とするところは、図１に明確なように、係止部１６ｃ、１７ｃの延設部１６ｂ、１７ｂとの対向面が、それぞれ係止部１６ｃ、１７ｃの先端側にいく程、延設部１６ｂ、１７ｂの対向面からの離反距離が大きくなる複数段の段差面に形成されている点にある。
段差面の段数は特に限定されるものではないが、本実施の形態では、一方の係止部１７ｃ側に、３つの段差面１９ａ、１９ｂ、１９ｃ（この順に延設部１７ｂからの離反距離がより大きくなっている）が形成されている。
また、他方の係止部１６ｃ側には、４つの段差面２０ａ、２０ｂ、２０ｃ、２０ｄ（この順に延設部１６ｂからの離反距離がより大きくなっている）が形成されている。
【００２３】
また、一方の係止部１７ｃの方が、他方の係止部１６ｃよりもその長さが短くなるように形成されている。
筒状ロッド１２の長さをｍ、係止部１６ｃの長さをｎ１（内側の基部からの長さ：すなわちＵ字の深さ）、係止部１６ｃの先端と係止部１７ｃの先端の間の距離をｓとすると、ｍ＞ｓ＞ｍ−ｎ１となっている。
これにより、筒状ロッド１２の一端側に係止部１６ｃを進入させ、次いでヘアセット器具１０を弾性変形させつつ、筒状ロッド１２を係止部１７ｃ方向にずらし、係止部１７ｃを筒状ロッド１２の他端側に進入させることによって、筒状ロッド１２をヘアセット器具１０に装着できる。
【００２４】
一方、係止部１７ｃの長さをｎ２（内側の基部からの長さ：すなわちＵ字の深さ）とすると、ｓ＜ｍ−ｎ２となっている。
したがって、本実施の形態では、最初に筒状ロッド１２の端部に長さの短い係止部１７ｃを進入させたのでは、筒状ロッド１２の他端が係止部１６ｃの先端部を超えてしまい、筒状ロッド１２をヘアセット器具１０に装着できない設定となっている。
すなわち、本実施の形態では、筒状ロッド１２をヘアセット器具１０に装着しようとするときは、最初に長さの長い側の係止部１６ｃを筒状ロッド１２の端部に挿入するように設定されている。
【００２５】
各段差面間の高さは、例えば０．７ｍｍに設定される。また段差面１９ａ、１９ｂ、１９ｃ、２０ａ、２０ｂ、２０ｃの長さは例えば２ｍｍに設定される（段差面２０ｄの長さは２ｍｍよりも長く、例えば６ｍｍ）。したがって、この場合係止部１７ｃの長さｎ２は６ｍｍである。
係止部１６ｃ、１７ｃ先端間の距離ｓを例えば７７ｍｍとする。
また、筒状ロッド１２の長さｍは、ばらつきを含めて、例えば８５ｍｍ〜９０ｍｍとする。
筒状ロッド１２を装着する場合、前記のように、最初に長さの長い係止部１６ｃをその一端側に進入させ、次いで、筒状ロッド１２を係止部１７ｃ方向にずらし、係止部１７ｃを筒状ロッド１２の他端側に進入させる。
【００２６】
薄肉の筒状ロッド１２の場合、筒状ロッド１２を係止部１７ｃ方向にずらす際、筒状ロッド１２の他端側は、係止部１７ｃの最深部（３段目の奥）にまで進入し、フック部１７のＵ字の底面に当接し、その位置決めがなされる。薄肉の筒状ロッド１２であっても、その他端側が延設部１７ａとの間の幅の狭い係止部１７ｃの最奥部にまで進入することから、段差面１９ｃと延設部１７ａとの間でしっかりホールドされる。この場合、筒状ロッド１２の一端側は、筒状ロッド１２の長さが８５ｍｍの場合には段差面２０ａ上に、８７ｍｍの場合には段差面２０ｂ上に、９０ｍｍの場合には段差面２０ｄ上にあり、こちら側もほぼ位置決めされる。
【００２７】
厚さが中位の筒状ロッド１２の場合には、筒状ロッド１２を係止部１７ｃ方向にずらす際、フック部１７の２段目まで進入し、その他端側は、段差面１９ｃと段差面１９ｂとの間の段差壁に当接して位置決めされる。厚さが中位の筒状ロッド１２の場合、その他端側が段差面１９ｂと延設部１７ａとの間でしっかりホールドされる。厚さが中位の筒状ロッド１２の場合、その他端側が段差この場合、筒状ロッド１２の一端側は、筒状ロッド１２の長さが８５ｍｍの場合には段差面２０ｂ上に、８７ｍｍの場合には段差面２０ｃ上に、９０ｍｍの場合には段差面２０ｄ上にあり、こちら側もほぼ位置決めされる。
【００２８】
厚肉の筒状ロッド１２の場合には、筒状ロッド１２を係止部１７ｃ方向にずらす際、フック部１７の１段目まで進入し、その他端側は、段差面１９ｂと段差面１９ａとの間の段差壁に当接し、位置決めされる。厚肉の筒状ロッド１２の場合、その他端側が段差面１９ａと延設部１７ａとの間でしっかりホールドされる。この場合、筒状ロッド１２の一端側は、筒状ロッド１２の長さが８５ｍｍの場合には段差面２０ｃ上に、８５ｍｍよりも長い場合には段差面２０ｄ上にあり、こちら側もほぼ位置決めされる。なお、係止部１６ｃ側は長さが長いので、厚肉で長さの長い筒状ロッド１２であっても、係止部１６ｃが弾性変形することから、係止部１６ｃの奥まで進入可能である。
なお、筒状ロッド１２の上記他端側、一端側の係止箇所は上記に限らず、適宜な段差壁、奥壁（凹部底面）で係止するところで係止させるようにすればよい。
【００２９】
上記のように、係止部１７ｃ側に段差面１９ａ、１９ｂ、１９ｃを設けることによって、厚さや長さにばらつきのある筒状ロッド１２の場合にあっても、その端部（上記他端側）をＵ字の凹部底面、あるいは段差面１９ａ〜１９ｃ間の段差壁に当接させて位置決めすることができ、また、反対側の端部（上記一端側）も、段差面２０ａ〜２０ｄ上に位置させて、ほぼ位置決めできる。
したがって、髪を巻き付ける作業時、筒状ロッド１２とヘアセット器具１０の互いの長手方向へのずれを防止でき、作業性を向上させることができる。
なお、各段差面１９ａ、１９ｂ、１９ｃと延設部１７ａとの間隔（離反距離）は、筒状ロッド１２の肉厚のばらつきに対応させて、適宜に設定するようにする。
【００３０】
筒状ロッド１２の両端部を正確に位置決めできれば最適であるが、筒状ロッド１２には長さのばらつきがあるため、まず、筒状ロッド１２の係止部１７ｃ側の端部（他端側）を固定、位置決めできれば、それだけでも作業性がよくなる。筒状ロッド１２の係止部１６ｃ側の端部（一端側）は、上記のように、段差面２０ａ〜２０ｄ上でアバウトに位置決めできるだけでもよい。
あるいは、係止部１６ｃ側には段差面２０ａ〜２０ｄを必ずしも設けなくともよい。
【００３１】
なお、係止部１７ｃの長さは、段差壁によって筒状ロッドの端部（他端側）を位置決めできれば、係止部１６ｃの長さと同じであってもよい。
また、筒状ロッド１２の端部には、図４に示すように、輪ゴム掛け用の溝（突起１２ａ間の溝）が形成されており、筒状ロッド１２の他端側に係止部１７ｃを進入させると、この溝内に係止部１７ｃが進入することがあるが、この場合にも、筒状ロッド１２の他端側がＵ字状の凹部の底面や段差壁に規制されて位置決めされればよい。
【００３２】
図５は、ヘアセット器具１０の他の実施の形態を示す平面図、図６はその背面図である。
上記実施の形態と同一の部位は同一の符号を付し、説明を省略する。
本実施の形態では、一方のフック部１７の係止部１７ｃに、４つの段差面１９ａ、１９ｂ、１９ｃ、１９ｄを設けている。また他方のフック部１６の係止部１６ｃに、３つの段差面２０ａ、２０ｂ、２０ｃを設けている。本実施の形態では、上記実施の形態と段差面の数等に差異があるが、実質的に同一の作用効果を奏する。
【００３３】
また、本実施の形態では、挟持部１４の挟持面１４ａとは反対側の面に、一方の係止部１７ｃよりも長い他方の係止部１６ｃが挟持部１４のどちら側の端部に位置するかを示す、目視にて視認できる目印（図６では星状の目印）２２を設けている。
これにより、ヘアセット器具１０に筒状ロッド１２を装着する際、筒状ロッド１２に目印２２が位置する側の係止部１６ｃが進入するようにして、筒状ロッド１２をヘアセット器具１０に当てがうことができるので、操作性がよくなる。
【００３４】
また本実施の形態では、挟持部１４の挟持面１４ａとは反対側の面に、筒状ロッド１２の端部に係止部１６ｃを挿入後、筒状ロッド１２をヘアセット器具１０のどちら側に移動すれば筒状ロッド１２がヘアセット器具１０に対して装着状態となるか、筒状ロッド１２の移動方向を示す、目視にて視認できる目印（図６では矢印状の目印）２４を設けている。これにより筒状ロッド１２をヘアセット器具１０の所定位置に容易に装着状態とすることができる。筒状ロッド１２をヘアセット器具１０から外すには、目印２４と反対側にずらすようにすればよい。
【００３５】
また他の実施の形態として、ヘアセット器具１０における少なくとも両突部１５間の挟持部１４の挟持面１４ａに、樹脂製の弾性を有する繊維（図示せず）を密に植毛するようにする。繊維は、傾斜縁１４ｂにも植毛するようにしてもよい。
繊維の植毛は、公知の静電植毛加工等によって形成することができる。
弾性を有する繊維としてはナイロン繊維を好適に用いることができる。また繊維の長さや太さは特に限定されないが、長さが０．８〜１．２ｍｍ程度、太さが４０〜１００μｍ程度のものが好適である。
【００３６】
筒状のロッド１２は、前記のように鼓状の形態をなすが、その太さは種々のものがあり、鼓状の外表面の湾曲度も一様でないことから、ロッド１２によっては、ヘアセット器具１０をロッド１２に装着した際、ロッド１２外表面とヘアセット器具１０の挟持面１４ａとの間に隙間が生じてしまうことがある。このような隙間が生じると、突部１５方向にせっかく振り分けた髪の毛が中央方向に動きやすくなり、髪巻き付け作業がしづらくなるおそれがある。
この点、少なくとも挟持面１４ａに弾性を有する繊維を植毛しておくことによって、上記隙間を繊維によって埋めることができ、また繊維間に髪の毛が入り込むことから、髪の毛を振り分けた位置に安定的に留まらせることができ、髪の毛の巻き付け作業を容易に行える利点がある。
【符合の説明】
【００３７】
１０  ヘアセット器具
１２  ロッド
１２ａ  突起
１４  挟持部
１４ａ  挟持面
１４ｂ  傾斜縁（側縁部）
１４ｃ  補強用リブ
１５  突部
１６  フック部
１６ａ  延設部
１６ｂ  曲折部
１６ｃ  係止部
１６ｄ  補強用リブ
１７  フック部
１７ａ  延設部
１７ｂ  曲折部
１７ｃ  係止部
１７ｄ  補強用リブ
１８  指掛け用の突起
１９ａ、１９ｂ、１９ｃ  段差面
２０ａ、２０ｂ、２０ｃ、２０ｄ  段差面
２２  ２４  目印
【図１】
2020000833.tif 000003
【図２】
2020000833.tif 000004
【図３】
2020000833.tif 000005
【図４】
2020000833.tif 000006
【図５】
2020000833.tif 000007
【図６】
2020000833.tif 000008
【図７】
2020000833.tif 000009
【図８】
2020000833.tif 000010
【図９】
2020000833.tif 000011
【図１０】
2020000833.tif 000012
【図１１】
2020000833.tif 000013